(57)【要約】【課題】装置自体が大型化、高価となることを抑えつつ、かつ使用者の操作を煩雑化することなく、精度よい測定値の通信を可能とする電子体温計を提供する。【解決手段】電子体温計１は、温度センサ６とスピーカ１０３とこれらに接続された制御部１２とを備える。制御部１２は、温度センサ６からのセンサ信号に基づいて測定値を音声信号に変換し、スピーカ１０３からその音声信号を出力させることで、測定値を出力する。【選択図】図５
2012193967.tif 000002
【特許請求の範囲】
【請求項１】
被験者の測定部位の温度を測定し、測定値を出力する電子体温計であって、
温度センサと、
発音装置と、
前記温度センサおよび前記発音装置に接続された制御装置とを備え、
前記制御装置は、前記発音装置を用いて前記測定値を出力させる制御として、
前記温度センサからのセンサ信号に基づいて前記測定部位の温度を前記測定値として算出する処理と、
前記測定値を音声信号に変換する処理と、
前記発音装置から前記音声信号を出力させるための処理とを実行する、電子体温計。
【請求項２】
前記測定値の出力を指示するための指示手段をさらに備え、
前記制御装置は前記指示手段にも接続されて、前記指示手段での指示に応じて前記制御を実行する、請求項１に記載の電子体温計。
【請求項３】
前記測定値を前記音声信号に変換する処理は、
前記測定値を２進数の値に変換するステップと、
前記２進数の値のそれぞれに音声ＯＮ／ＯＦＦを割り当てることで音声信号を生成するステップとを含み、
前記音声信号を出力させるための処理では、予め規定された出力速度で前記発音装置から前記音声信号を出力させる、請求項１または２に記載の電子体温計。
【請求項４】
電子体温計から測定値を受信するための受信装置であって、
前記電子体温計は、前記測定値を音声信号に変換して前記音声信号を出力し、
マイクと、
前記マイクに接続された制御装置とを備え、
前記制御装置は、
前記電子体温計での前記測定値から前記音声信号の変換する方法に対応した変換方法で、前記マイクで入力した前記音声信号を前記測定値に変換する処理と、
前記測定値を出力する処理とを実行する、受信装置。
【請求項５】
前記電子体温計では、前記測定値を２進数の値に変換して得られる前記２進数の値のそれぞれに音声ＯＮ／ＯＦＦを割り当てることで音声信号を生成して、予め規定された出力速度で前記音声信号を出力し、
前記音声信号を前記測定値に変換する処理は、
前記音声信号に基づいてパルス信号を発生させるステップと、
前記パルス信号と前記予め規定された出力速度とで得られる前記パルス信号の間隔に基づいて前記パルス信号を２進数の値に変換するステップと、
前記２進数の値を１０進数の値に変換することで前記測定値を特定するステップとを含む、請求項４に記載の受信装置。
【請求項６】
前記制御装置は、前記マイクで入力した音声信号から前記電子体温計で出力される前記音声信号の周波数帯を抽出することで、前記電子体温計から出力された前記音声信号を抽出する処理をさらに実行する、請求項４または５に記載の受信装置。
【請求項７】
前記電子体温計を収納するための収納部と、
前記電子体温計が前記収納部に収納された状態となったときに、前記電子体温計に対して前記測定値の出力を指示するための指示手段とをさらに備える、請求項４〜６のいずれかに記載の受信装置。
【請求項８】
前記電子体温計は前記測定値の出力を指示するためのボタンを有し、
前記指示手段は、前記収納部内部の、前記電子体温計が前記収納部に収納された状態で前記ボタンに接触する位置に設けられた突起である、請求項７に記載の受信装置。
【請求項９】
前記電子体温計は前記音声信号を出力するためのスピーカを有し、
前記マイクは、前記電子体温計が前記収納部に収納された状態となったときに、前記スピーカ近傍に設けられる、請求項７または８に記載の受信装置。
【請求項１０】
被験者の測定部位の温度を測定して測定値を出力する電子体温計と、前記電子体温計から前記測定値を受信するための受信装置とを含むシステムにおける測定値の転送方法であって、
前記電子体温計で前記測定部位の温度を前記測定値として算出するステップと、
前記電子体温計で前記測定値を音声信号に変換し、前記電子体温計に含まれる発音装置から前記音声信号を出力するステップと、
前記受信装置に含まれるマイクで前記音声信号を入力するステップと、
前記マイクで入力した前記音声信号を、前記受信装置で前記電子体温計での前記測定値から前記音声信号の変換する方法に対応した変換方法で前記測定値に変換するステップと、
前記変換ステップで得られた前記測定値を前記受信装置から出力するステップとを備える、測定値の転送方法。
【発明の詳細な説明】
【技術分野】
【０００１】
この発明は電子体温計、受信装置、および測定値の転送方法に関し、特に、音を利用して測定値を通信する機能を有した電子体温計、受信装置、および測定値の転送方法に関する。
【背景技術】
【０００２】
医療施設における患者管理の一つとして、患者の体温管理がある。これは各患者の基礎的生体情報である体温を周期的に測定し、カルテにグラフとして記載することによりトレンドを観察し、代謝状態を把握するものである。
【０００３】
医療施設における体温管理では、看護師または患者自身が体温を体温計を用いて測定し、目視で確認した測定値を手動でカルテへ記載することが一般的に行なわれている。
【０００４】
しかしながら、このような方法では目視時の誤認識あるいは記載ミス（入力ミス）等の人的要因により、正しい測定値がカルテに記録されないリスクが避けられないという問題があった。
【０００５】
この問題に対して、たとえば特開２０００−２８３８５５号公報（以下、特許文献１）は、体温計に測定値に応じて点滅する表示装置を設け、該表示装置に測定値を表示させて受光素子で読み取らせる技術を開示している。
【先行技術文献】
【特許文献】
【０００６】
【特許文献１】特開２０００−２８３８５５号公報
【発明の概要】
【発明が解決しようとする課題】
【０００７】
しかしながら、特許文献１の技術によると、体温計に測定値に応じて点滅させるための機能を搭載する必要があるために体温計が大型化したり、価格が高価になったりする問題があった。
【０００８】
また、読取装置を用いて表示装置に表示させた測定値を読み取らせるための操作が必要となるため、使用者の手間が増えて煩雑になる、という問題もあった。
【０００９】
本発明はこのような問題に鑑みてなされたものであって、装置自体が大型化、高価となることを抑えつつ、かつ使用者の操作を煩雑化することなく、精度よい測定値の通信を可能とする電子体温計、受信装置、および測定値の転送方法を提供することを目的としている。
【課題を解決するための手段】
【００１０】
上記目的を達成するために、本発明のある局面に従うと、電子体温計は被験者の測定部位の温度を測定し、測定値を出力する電子体温計であって、温度センサと、発音装置と、温度センサおよび発音装置に接続された制御装置とを備える。制御装置は、発音装置を用いて測定値を出力させる制御として、温度センサからのセンサ信号に基づいて測定部位の温度を測定値として算出する処理と、測定値を音声信号に変換する処理と、発音装置から音声信号を出力させるための処理とを実行する。
【００１１】
好ましくは、電子体温計は測定値の出力を指示するための指示手段をさらに備え、制御装置は指示手段にも接続されて、指示手段での指示に応じて上記制御を実行する。
【００１２】
好ましくは、測定値を音声信号に変換する処理は、測定値を２進数の値に変換するステップと、２進数の値のそれぞれに音声ＯＮ／ＯＦＦを割り当てることで音声信号を生成するステップとを含み、音声信号を出力させるための処理では、予め規定された出力速度で発音装置から音声信号を出力させる。
【００１３】
本発明の他の局面に従うと、受信装置は電子体温計から測定値を受信するための受信装置であって、電子体温計は、測定値を音声信号に変換して音声信号を出力し、受信装置は、マイクと、マイクに接続された制御装置とを備える。制御装置は、電子体温計での測定値から音声信号の変換する方法に対応した変換方法で、マイクで入力した音声信号を測定値に変換する処理と、測定値を出力する処理とを実行する。
【００１４】
好ましくは、電子体温計では、測定値を２進数の値に変換して得られる２進数の値のそれぞれに音声ＯＮ／ＯＦＦを割り当てることで音声信号を生成して、予め規定された出力速度で音声信号を出力し、音声信号を測定値に変換する処理は、音声信号に基づいてパルス信号を発生させるステップと、パルス信号と予め規定された出力速度とで得られるパルス信号の間隔に基づいてパルス信号を２進数の値に変換するステップと、２進数の値を１０進数の値に変換することで測定値を特定するステップとを含む。
【００１５】
好ましくは、制御装置は、マイクで入力した音声信号から電子体温計で出力される音声信号の周波数帯を抽出することで、電子体温計から出力された音声信号を抽出する処理をさらに実行する。
【００１６】
好ましくは、受信装置は、電子体温計を収納するための収納部と、電子体温計が収納部に収納された状態となったときに、電子体温計に対して測定値の出力を指示するための指示手段とをさらに備える。
【００１７】
より好ましくは、電子体温計は測定値の出力を指示するためのボタンを有し、指示手段は、収納部内部の、電子体温計が収納部に収納された状態でボタンに接触する位置に設けられた突起である。
【００１８】
好ましくは、電子体温計は音声信号を出力するためのスピーカを有し、マイクは、電子体温計が収納部に収納された状態となったときに、スピーカ近傍に設けられる。
【００１９】
本発明のさらに他の局面に従うと、測定値の転送方法は、被験者の測定部位の温度を測定して測定値を出力する電子体温計と、電子体温計から測定値を受信するための受信装置とを含むシステムにおける測定値の転送方法であって、電子体温計で測定部位の温度を測定値として算出するステップと、電子体温計で測定値を音声信号に変換し、電子体温計に含まれる発音装置から音声信号を出力するステップと、受信装置に含まれるマイクで音声信号を入力するステップと、マイクで入力した音声信号を、受信装置で電子体温計での測定値から音声信号の変換する方法に対応した変換方法で測定値に変換するステップと、変換ステップで得られた測定値を受信装置から出力するステップとを備える。
【発明の効果】
【００２０】
この発明によると、電子体温計を大型化、高価とすることなく、かつ使用者の操作を煩雑化することなく、精度よく測定値を電子体温計から受信装置に対して送信することが可能となる。
【図面の簡単な説明】
【００２１】
【図１】実施の形態にかかる体温管理システムの構成の具体例を示す図である。
【図２】体温管理システムに含まれる電子体温計の概略構成を示す図である。
【図３】電子体温計の本体部を第１のスイッチが設けられた側の端部から見た図である。
【図４】体温管理システムに含まれる受信装置の、内部構成の概略を示す図である。
【図５】電子体温計の機能ブロック図である。
【図６】受信装置に測定値を送信するための電子体温計の制御ブロック図である。
【図７】電子体温計から出力される音声信号を説明するための図である。
【図８】電子体温計から測定値を受信するための受信装置の制御ブロック図である。
【図９】受信装置での音声信号の処理を説明するための図である。
【図１０】受信装置に測定値を送信するための、電子体温計での動作の流れを表わしたフローチャートである。
【図１１】電子体温計から測定値を受信するための、受信装置での動作の流れを表わしたフローチャートである。
【発明を実施するための形態】
【００２２】
以下に、図面を参照しつつ、本発明の実施の形態について説明する。以下の説明では、同一の部品および構成要素には同一の符号を付してある。それらの名称および機能も同じである。
【００２３】
＜システム構成＞
図１は、本実施の形態にかかる体温管理システムの構成の具体例を示す図である。
【００２４】
図１を参照して、体温管理システムは、被測定者の体温を測定するための電子体温計１と、電子体温計１から送信された当該電子体温計１での測定値を受信するための受信装置３と、電子カルテなどの管理用ソフトを搭載し、受信装置３から送信された測定値を受信して当該測定値を管理用ソフトで管理される図示しないメモリに書き込むための処理装置２とを含む。
【００２５】
受信装置３は電子体温計１を挿入してセットするための収納部３２（図４）を有し、挿入口３１から電子体温計１を挿入することで収納部３２に電子体温計１がセットされる。当該挿入口３１から受信装置３内の収納部３２に電子体温計１をセットすることで、電子体温計１での測定値が受信装置３に転送される。
【００２６】
受信装置３と処理装置２とは、インターネットやＬＡＮ（Local Area Network）などのネットワーク７で電気的に接続されている。受信装置３から処理装置２への測定値の送信は、ネットワーク７を解さずに無線通信などを用いて直接になされてもよい。
【００２７】
＜装置構成＞
図２は、電子体温計１の概略構成を示す図である。図２（Ａ）は、電子体温計１の正面図であり、図２（Ｂ）は図２（Ａ）のＡＡ断面図であり、図２（Ｃ）は図２（Ｂ）のＢＢ断面図である。
【００２８】
図２（Ａ）を参照して、本実施の形態にかかる電子体温計１は、内部が中空構造のハウジング１００を備える。ハウジング１００は、表示部１０１や情報出力部であるスピーカ１０３やスイッチ１０２Ａ，１０２Ｂなどが設けられた略直方体の本体部１１０と、使用者の腋下や舌下、直腸などの測定部位に挟みこまれるなどして接触するプローブ部１２０とを含む。プローブ部１２０の先端には、使用者の測定部位の温度を測定するための測温部３００が設けられる。図２（Ｂ）および図２（Ｃ）を参照して、ハウジング１００の内部には、回路基板、電源、などで構成される内部部品４が収容される。
【００２９】
プローブ部１２０は、略直方体の本体部１１０の一方の端部から延びて本体部１１０に対して測温部３００を支持する、内部が中空構造の先細りの棒状部材である。以降の説明において、プローブ部１２０の延びる軸方向を「長手方向」とも称する。
【００３０】
図２（Ａ）を参照して、本体部１１０の長手方向に平行する面には表示部１０１およびスピーカ１０３が設けられる。表示部１０１およびスピーカ１０３は必ずしも同じ面に設けられなくてもよい。以降の説明において、本体部１１０の少なくとも表示部１０１が設けられた面を、「正面」と称する。
【００３１】
図２（Ｂ）および図２（Ｂ）を参照して、プローブ部１２０の先端の測温部３００は、ステンレス材（ＳＵＳ）等からなるキャップ５と、キャップ５の内部に埋設固定されるサーミスタ等の温度センサ６とを含む。温度センサ６は、ハウジング１００内に収容される内部部品４からプローブ部１２０の中空内部を通って延びるリード線４１によって、内部部品４のＣＲ発振回路に電気的に接続される。温度センサ６は、測温部３００の外表面から伝達される熱に応じて抵抗値を変化させ、この抵抗値の変化がＣＲ発振回路に出力される。
【００３２】
なお、図２ではキャップ５を用いることでプローブ部１２０と測温部３００とが別体として形成される例が示されている。しかしながら、キャップ５を用いず、樹脂成型された本体部１１０およびプローブ部１２０と一体成型されてもよい。この場合、本体部１１０とプローブ部１２０と測温部３００とでハウジング１００を構成する。
【００３３】
本体部１１０には、測定の開始および終了を指示するためのＯＮ／ＯＦＦスイッチである第１のスイッチ１０２Ａと、受信装置３に対する測定値の通信の開始を指示するためのスイッチである第２のスイッチ１０２Ｂとが設けられる。図２では、一例として、第１のスイッチ１０２Ａがプローブ部１２０および測温部３００が設けられる側と反対側の端部に設けられ、第２のスイッチ１０２Ｂが第１のスイッチ１０２Ａの設けられた端部、正面、および正面と平行の面のいずれの面とも異なる面、すなわち側面に設けられる例が示されている。しかしながら、これらスイッチの位置関係は図２に示される位置関係に限定されない。他の例として、第２のスイッチ１０２Ｂが本体部１１０の正面に設けられてもよい。また、他の例として、第１のスイッチ１０２Ａが本体部１１０の側面に設けられてもよい。なお、後述する受信装置３の構成を容易にするため、好ましくは、第１のスイッチ１０２Ａと第２のスイッチ１０２Ｂとは、同一面に設けられないように構成される。
【００３４】
図３は、本体部１１０をプローブ部１２０および測温部３００が設けられる側と反対側の端部から見た図、すなわち第１のスイッチ１０２Ａが設けられた側の端部から見た図である。図３を参照して、本体部１１０の断面形状は、正面を略平面とし、正面と反対の面が円弧状となった形状を有する。
【００３５】
なお、図３に表わされた形状は一例であって、好ましくは、正面とその反対側とが、または両側面が、異なる形状であれば他の形状であってもよい。
【００３６】
図４は、受信装置３の内部構成の概略を示す図である。図４を参照して、筐体表面に設けられた挿入口３１から筐体内部に向かう方向に設けられた収納部３２を有する。
【００３７】
挿入口３１の断面は、図３に表わされた電子体温計１の本体部１１０の断面形状と類似形状であって、円弧状側の面に電子体温計１の表面を向けては挿入できないサイズとする。これによって、電子体温計１をその軸方向に挿入口３１から筐体内部に向かう方向に挿入する際に、挿入口３１の断面に対応した向きに挿入することになる。
【００３８】
収納部３２は、挿入口３１から筐体内部に向かう方向を長手方向とし、内部が中空構造の先細りの棒状形状である。その先細りの形状は電子体温計１のプローブ部１２０の形状と一致している。これによって、電子体温計１をその軸方向に挿入口３１から筐体内部に向かう方向に挿入する際に、収納部３２の、プローブ部１２０の形状と先細りの形状が一致する位置でプローブ部１２０が係持されることになり、電子体温計１の受信装置３に対する長手方向の位置が一定に保持される。
【００３９】
収納部３２の内壁には突起３２Ａが設けられる。突起３２Ａは、挿入口３１の断面に応じた向きに電子体温計１を収納部３２に挿入し、プローブ部１２０の形状と先細りの形状が一致する位置でプローブ部１２０が係持された状態で、電子体温計１の第２のスイッチ１０２Ｂと接触して第２のスイッチ１０２Ｂを押下する位置に設けられる。なお、突起３２Ａは、第２のスイッチ１０２Ｂの位置、操作方法に応じた形態で設けられる。すなわち、図４に示されたような単純な突起形状に限定されず、第２のスイッチ１０２Ｂがスライド式である場合には当該スライドを行ない得る形状とし、第２のスイッチ１０２Ｂが凹形状であって当該凹部を押下するものである場合には当該凹部に合致するような凸形状とする。
【００４０】
このように構成されることで、ユーザが第２のスイッチ１０２Ｂを押下するといった特別の操作を行なうことなく、電子体温計１を受信装置３の収納部３２に挿入するのみで第２のスイッチ１０２Ｂが自動的に押下されることになる。また、挿入口３１の断面および収納部３２の形状が上述の形状であることによって受信装置３に電子体温計１をセットしたときの電子体温計１の受信装置３における状態を、第２のスイッチ１０２Ｂが突起３２Ａによって押下されるような状態とすることができる。
【００４１】
さらに図４を参照して、受信装置３はその内部に、マイク３３と、当該マイク３３と電気的に接続されて全体制御を行なうためのＣＰＵ（Central Processing Unit）３０と、ＣＰＵ３０で実行されるプログラムを格納するためのメモリ３４と、ＣＰＵ３０での処理の結果得られた測定値をネットワーク７を介して処理装置２に対して出力するための通信部３５とを含む。
【００４２】
ＣＰＵ３０は、マイク３３から入力された音声信号を解析して測定値を取得するための演算を行なう。
【００４３】
マイク３３は、好ましくは、挿入口３１の断面に応じた向きに電子体温計１を収納部３２に挿入し、プローブ部１２０の形状と先細りの形状が一致する位置でプローブ部１２０が係持された状態における電子体温計１に設けられたスピーカ１０３の近傍となる位置に設けられる。このように配置することで、電子体温計１のスピーカ１０３から大きな音で出力しなくてもマイク３３で集音されることになる。さらに、収納部３２に収納された状態でスピーカ１０３から発せられた音声がマイク３３で集音されることになるので、ノイズの影響による通信品質の劣化を防止することができる。
【００４４】
＜機能ブロック＞
図５は、電子体温計１の機能ブロック図である。
【００４５】
図５を参照して、電子体温計１は、機能ブロックとして、制御部１２と、メモリ部１３と、表示部１０１と、スイッチ１０２Ａ，１０２Ｂと、スピーカ１０３と、電源部１７と、温度センサ６とを含む。制御部１２は、たとえば内部部品４の回路基板に搭載されるＣＰＵにて構成され、電子体温計１の全体を制御する。メモリ部１３は、たとえば内部部品４に含まれるＲＯＭ（Read-Only  Memory）やＲＡＭ（Random-Access  Memory）にて構成され、体温測定のための処理手順を制御部１２等に実行させるためのプログラムを記憶したり、測定結果等を記憶したりするために用いられる。
【００４６】
表示部１０１は、たとえばＬＣＤ（Liquid  Crystal  Display）等の表示パネルにて構成され、測定結果等を表示するために用いられる。スイッチ１０２Ａ，１０２Ｂは、たとえば押し釦にて構成され、押下されることで操作信号を制御部１２や電源部１７に入力する。スピーカ１０３は、後述する、受信装置３との通信用の音を発するために用いられる。また、スピーカ１０３は、測定中や測定が終了した、などの測定状態、使用者の操作を受け付けたこと、等を使用者に知らせるためにも用いられる。
【００４７】
電源部１７は、たとえば内部部品４に含まれるボタン電池によって構成され、制御部１２に電源としての電力を供給するために用いられる。制御部１２にて測定動作のためのプログラムを実行していない状態においては、電源部１７は制御部１２に対して該プログラム実行時よりも少ない微小電力を供給している。この状態を、以降、スタンバイ状態と称する。電源部１７はスタンバイ状態において操作信号を受け付けると、制御部１２にて測定動作のためのプログラムを実行するために必要な電力を制御部１２に対して供給する。
【００４８】
温度センサ６は、腋下や舌下、直腸等の測定部位に挟み込まれたり挿し込まれたりすることで温度を検出し、検出結果を制御部１２に入力する。
【００４９】
＜動作概要＞
本実施の形態にかかる体温管理システムでの動作について説明する。
【００５０】
まず、電子体温計１を用いて被測定者の体温を測定する。測定値は電子体温計１のメモリ部１３に記憶される。
【００５１】
電子体温計１での測定値を処理装置２の電子カルテなどに書き込む際、ユーザは、電子体温計１を受信装置３の挿入口３１から挿入して受信装置３にセットする。これによって、電子体温計１から受信装置３に対して測定値が送信され、受信装置３がその測定値を受信する。受信された測定値は受信装置３からネットワーク７を介して処理装置２に送られ、電子カルテなどに書き込まれる。
【００５２】
本実施の形態にかかる体温管理システムでは、電子体温計１から受信装置３に測定値を転送する際に音を利用した通信が用いられる。具体的に、電子体温計１は測定値を２進数に変換し、音の鳴動（ＯＮ／ＯＦＦ）を２進数の０と１とに割り当てて、測定値を２進数で表わした数値を音の鳴動に変換して得られる音声信号を規定の速度で出力する。受信装置３はその音を集音して上記規定の出力速度と鳴動の間隔とに基づいて２進数で表わされた数値を得、その数値を１０進数に変換することで測定値を取得する。
【００５３】
＜制御ブロック＞
図６は、受信装置３に測定値を送信するための電子体温計１の制御ブロック図である。
【００５４】
図６を参照して、電子体温計１は、測定値として温度センサ６からのセンサ信号の入力を受け付けるための温度入力部１２１と、上記センサ信号に基づいて測定部位の温度を１０進数の測定値として算出するための算出部１２２と、第２のスイッチ１０２Ｂからの当該第２のスイッチ１０２Ｂが押下されたことによる操作信号の入力を受け付けるための操作入力部１２３と、予め変換式を記憶しておき、上記操作信号の入力にしたがって算出された１０進数の測定値を２進数に変換し、その数値を音の鳴動（ＯＮ／ＯＦＦ）に変換することで音声信号を特定ための変換部１２４と、スピーカ１０３から予め規定された速度で上記音声信号を出力させる処理を行なうための出力部１２５とを含む。
【００５５】
これらは、制御部１２に含まれるＣＰＵがメモリ部１３に含まれるＲＯＭ等に記憶されるプログラムを読み出して実行することによって主にＣＰＵ上に形成される機能であってもよいし、一部がハードウェアによって実現される機能であってもよい。
【００５６】
図７は、電子体温計１から出力される音声信号を説明するための図である。例として、１０進数で３６．８℃の測定値が得られた場合を説明する。
【００５７】
図７を参照して、変換部１２４は得られた測定値３６．８℃を１０倍した「３６８」を２進数で１０桁の値「０１０１１１００００」に変換して、データビットとする。そして、データビットの先頭と末尾とに、それぞれ、予め設定したスタートビットおよびヘッダコードと、ストップビットとを付加する。さらに、変換部１２４は、送信データ中の「１」について設定された奇遇に応じてパリティビットとして０か１かを決定し、データビットの後に付加する。
【００５８】
スタートビットとしてたとえば予め１が設定されているときには、変換部１２４は先頭に１を付加する。ヘッダコードとしてたとえば「０１１」が予め設定されているときには、変換部１２４はスタートビットの後に「０１１」を付加する。ストップビットとしてたとえば予め０が設定されているときには、変換部１２４は末尾に０を付加する。さらに、送信データ中の「１」の数が偶数と設定されている場合に、変換部１２４は、以上のデータ中に「１」が７つ含まれることになるためにパリティビットとして「１」を決定し、データビットの後に「１」を付加する。
【００５９】
以上のようにして、測定値３６．８℃は、図７の（Ａ）に表わされた２進数の送信データ「１０１１０１０１１１００００１０」に変換される。
【００６０】
さらに、変換部１２４は、予め２進数の送信データの「０」および「１」と鳴動（ＯＮ／ＯＦＦ）との対応を記憶している。一例として、２進数の送信データの「１」に音声ＯＮが対応し、２進数の送信データの「０」に音声ＯＦＦが対応しているものとする。
【００６１】
変換部１２４は、記憶している対応関係に基づいて、２進数の送信データの「０」「１」に音声のＯＮ／ＯＦＦを割り当てることで、音声信号に変換する。対応関係が上の例である場合、図７の（Ａ）に表わされた２進数の送信データ「１０１１０１０１１１００００１０」は、図７の（Ｂ）に表わされた、音声が「ＯＮ／ＯＦＦ／ＯＮ／ＯＮ／ＯＦＦ／ＯＮ／ＯＦＦ／ＯＮ／ＯＮ／ＯＮ／ＯＦＦ／ＯＦＦ／ＯＦＦ／ＯＦＦ／ＯＮ／ＯＦＦ」である音声信号に変換される。なお、図７の（Ｂ）において、音声信号における音声「ＯＮ」のタイミングは３本の縦線が並んだマークで表わされ、音声「ＯＦＦ」のタイミングは当該マークがない部分で表わされている。
【００６２】
出力部１２５は、変換部１２４で得られた音声信号を、受信装置３との間で予め規定された周波数で、受信装置３との間で予め規定された速度で出力させる。図７の（Ｃ）は、出力部１２５に記憶されている音声信号の出力速度を表わしている。図７の（Ｃ）に示されるように、出力部１２５は、規定された等間隔のタイミングｔ１〜ｔ１６のそれぞれに変換された音声信号の音声「ＯＮ」または音声「ＯＦＦ」のタイミングを順に割り当てて、上記出力速度に従って音声信号を出力させる。２進数の送信データが図７の（Ｂ）に表わされた信号である場合、出力部１２５は、タイミングｔ１、ｔ３、ｔ４、ｔ６、ｔ８、ｔ９、ｔ１０、ｔ１５に音声ＯＮとし、他のタイミングに音声ＯＦＦとなるように出力させる。つまり、変換部１２４は、図７の（Ｂ）に「ＯＮ」で表わされた時間間隔で所定の周波数の音声を出力するような音声信号を生成することになる。
【００６３】
図８は、電子体温計１から測定値を受信するための受信装置３の制御ブロック図である。
【００６４】
図８を参照して、受信装置３は、マイク３３からの音声信号の入力を受け付けるための入力部３０１と、電子体温計１からの音声信号に対応した周波数帯の音声信号を抽出するための周波数フィルタを含んで、入力された音声信号から電子体温計１からの音声信号に対応した周波数帯の音声信号を抽出するためのフィルタ部３０２と、抽出された音声信号をパルス信号に変換するためのパルス発生部３０３と、予めパルス信号の発生間隔を記憶しておき、当該発生間隔とパルス信号とに基づいてパルス信号を２進数で表わされた値に変換し、その数値を１０進数の値に変換することで、電子体温計１から送信された測定値を得るための変換部３０４と、得られた測定値を通信部３５で処理装置２に対して送信させる処理を行なうための出力部３０５とを含む。
【００６５】
これらは、ＣＰＵ３０がメモリ３４に記憶されるプログラムを読み出して実行することによって主にＣＰＵ３０上に形成される機能であってもよいし、一部がハードウェアによって実現される機能であってもよい。たとえば、パルス発生部３０３はパルス発生回路によって構成されてもよい。
【００６６】
図９は、受信装置３での音声信号の処理を説明するための図である。例として、図７で表わされた音声信号を受信した場合を説明する。
【００６７】
図９を参照して、パルス発生部３０３は、電子体温計１からの音声信号に対応した周波数帯の音声信号の入力があったタイミングをＯＮとするパルス信号を発生させる。図７の（Ｂ）に表わされた音声信号が図７の（Ｃ）に表わされたタイミング、つまり、タイミングｔ１〜ｔ１６でそれぞれ、音声が「ＯＮ／ＯＦＦ／ＯＮ／ＯＮ／ＯＦＦ／ＯＮ／ＯＦＦ／ＯＮ／ＯＮ／ＯＮ／ＯＦＦ／ＯＦＦ／ＯＦＦ／ＯＦＦ／ＯＮ／ＯＦＦ」である音声信号が電子体温計１から出力された場合、パルス発生部３０３は、図９の（Ａ）に表わされるパルス信号を発生させる。
【００６８】
変換部３０４は、予め、電子体温計１の出力部１２５が記憶している音声信号の出力速度を記憶している。つまり、出力部１２５が記憶している等間隔のタイミングｔ１〜ｔ１６と同じ等間隔のタイミングｔ１〜ｔ１６（図９の（Ｂ））を記憶している。そして、変換部３０４は、パルス信号にタイミングｔ１〜ｔ１６を当てはめて、そのパルス信号の時間間隔に基づいてパルス信号を２進数の値に変換する。
【００６９】
図９の（Ａ）のパルス信号が発生し、図９の（Ｂ）のタイミングｔ１〜ｔ１６が記憶されている場合、変換部３０４は、タイミングｔ１〜ｔ１６でそれぞれ、「ＯＮ／ＯＦＦ／ＯＮ／ＯＮ／ＯＦＦ／ＯＮ／ＯＦＦ／ＯＮ／ＯＮ／ＯＮ／ＯＦＦ／ＯＦＦ／ＯＦＦ／ＯＦＦ／ＯＮ／ＯＦＦ」のパルス信号と解析する。そして、パルス信号「ＯＮ」に「１」、パルス信号「ＯＦＦ」に「０」を割り当てることでこのパルス信号を、図９の（Ｃ）に表わされる、２進数の値「１０１１０１０１１１００００１０」に変換する。つまり、電子体温計１で発する音声の時間間隔に基づいて、その音声信号を２進数の値に変換する。
【００７０】
なお、パルス信号「ＯＮ」「ＯＦＦ」に「１」「０」のいずれを割り当てるかについては、予め電子体温計１における変換方法に対応して規定されており、当該規定に従って電子体温計１の変換部１２４は測定値が変換された２進数の値を音声データに変換し、受信装置３の変換部３０４はパルス信号を２進数の値に変換する。
【００７１】
さらに、電子体温計１と受信装置３との間では予め、スタートビット、ヘッダコード、パリティビット、およびストップビットを付加すること、およびその内容が取り決められており、その取り決めに従って電子体温計１の変換部１２４は上述のようにデータビットにそれらを付加し、受信装置３の変換部３０４は得られた２進数の値からこれらを取り除いてデータビットを取り出す。
【００７２】
スタートビット、ヘッダコード、パリティビット、およびストップビットが図７の（Ａ）に表わされたものである場合、受信装置３の変換部３０４は、図９の（Ｃ）に表わされたように、パルス信号から得られた２進数の値「１０１１０１０１１１００００１０」の先頭からスタートビットとして「１」、およびヘッダコードとして「０１１」を除き、末尾からストップビットとして「０」を除く。さらに、ストップビットとして「０」の直前の「１」をパリティビットとして除く。これにより、変換部３０４は、測定値を２進数で表した値として「０１０１１１００００」を得る。
【００７３】
変換部３０４は、さらに、得られた２進数の値を１０進数に変換することで、測定値を得る。図９の（Ｃ）に表わされたように、２進数の値「０１０１１１００００」が得られると、変換部３０４はこの値を１０進数に変換して「３６８」を得、電子体温計１との間での取り決めに従って３６８を１０で除して、測定値３６．８℃を得る。
【００７４】
＜動作フロー＞
図１０は、受信装置３に測定値を送信するための、電子体温計１での動作の流れを表わしたフローチャートである。図１０のフローチャートに表わされた動作は、制御部１２に含まれるＣＰＵがメモリ部１３に含まれるＲＯＭ等に記憶されるプログラムを読み出して実行し、図６に示される各機能を発揮させることによって実現される。
【００７５】
図１０を参照して、ステップＳ１０１で被測定者の測定部位の温度（体温）を測定するための動作が行なわれる。この動作は、通常の電子体温計の動作と同様である。測定値はメモリ部１３の所定領域に記憶される。
【００７６】
この後、電子体温計１が受信装置３の挿入口３１から収納部３２に収納されると、収納部３２内部の突起３２Ａが第２のスイッチ１０２Ｂと接触する（図１０のフローチャートでは第２のスイッチ１０２Ｂが送信スイッチと表現されている）。このようにして第２のスイッチ１０２Ｂが押下されたことが検知されると（ステップＳ１０３でＹＥＳ）、ステップＳ１０５でＣＰＵは、測定値に基づいて音声信号を生成するための処理を実行する。
【００７７】
詳しくは、ステップＳ１１でＣＰＵは、１０進数で得られている測定値を２進数に変換する。ここでは、上述のように、測定値（３６．８）を１０倍してから２進数（３６８→０１０１１１００００）してもよい。ステップＳ１３でＣＰＵは、２進数の値をデータビットとし、その前後に、予め受信装置３との間で取り決められているスタートビットおよびヘッダコードと、ストップビットとを付加する。さらに、ステップＳ１３でＣＰＵは、送信データ中の「１」について設定された奇遇に応じてパリティビットとして０か１かを決定し、データビットの後に付加する（図１０のフローチャートではこれらデータが通信用ビットと表現されている）。そして、ステップＳ１５でＣＰＵは、予め受信装置３との間で取り決められている関係に従って２進数の値「０」「１」に音声「ＯＮ」「ＯＦＦ」を割り当てる。そして、２進数の値「０」「１」に割り当てられた音声「ＯＮ」「ＯＦＦ」が等間隔で配置された音声信号に変換する。
【００７８】
ステップＳ１０７でＣＰＵは、生成された音声信号に従って音声を予め受信装置３との間で取り決められた周波数でスピーカ１０３から出力させる。
【００７９】
図１１は、電子体温計１から測定値を受信するための、受信装置３での動作の流れを表わしたフローチャートである。図１１のフローチャートに表わされた動作は、ＣＰＵ３０がメモリ３４に記憶されるプログラムを読み出して実行し、図８に示される各機能を発揮させることによって実現される。
【００８０】
図１１を参照して、ＣＰＵ３０はマイク３３から音声入力を受け付けると（ステップＳ２０１でＹＥＳ）、ステップＳ２０３で周波数フィルタを用いて、入力された音声信号から、電子体温計１からの測定値を表わす音声信号の周波数帯を抽出する。ステップＳ２０５で、抽出された音声信号からたとえば音声ＯＮのタイミングを「ＯＮ」とするパルス信号を発生させる。そして、ステップＳ２０７でＣＰＵ３０は、発生させたパルス信号から測定値を特定するための処理を実行する。
【００８１】
詳しくは、ステップＳ２１でＣＰＵ３０は、電子体温計１での変換方法に応じた方法に従って、パルス信号を２進数の数値に変換する。ここでは、上述のように、記憶されている音声信号の出力速度に沿ってパルス信号を配置し、パルス信号「ＯＮ」に「１」、パルス信号「ＯＮ」のない出力のタイミングをパルス信号「ＯＦＦ」として「０」を割り当てることで、パルス信号を２進数の数値に変換する。
【００８２】
ステップＳ２３でＣＰＵ３０は、ステップＳ２１で得られた２進数の数値から、予め電子体温計１との間で取り決められているスタートビット、ヘッダコード、パリティビット、およびストップビットを取り除くことで、測定値に対応したデータビットを抽出する。
【００８３】
ステップＳ２５でＣＰＵ３０は２進数の数値であるデータビットを１０進数に変換し、ステップＳ２７でその値から測定値を特定する。
【００８４】
ステップＳ２０９でＣＰＵ３０は、特定された測定値を通信部３５から処理装置２に対して送信させる。
【００８５】
＜実施の形態の効果＞
以上の動作が電子体温計１および受信装置３で行なわれることで、電子体温計１における測定値が、音声信号として受信装置３に対して送信されることになる。特に、体温などヒトの身体から測定し得る値は範囲が限定されているものであるため、２進数に変換されたときの桁数を予め設定可能である。これは、後述する、血圧値や血中酸素濃度などの他の測定値でも同様である。そのため、送信側の電子体温計１と受信装置３との間で予め測定データの形態を取り決めることが可能となり、それ故、受信装置３側で音声信号から測定値を再現することができる。すなわち、音声信号を利用して正確な測定値の転送が可能となる。
【００８６】
通常、電子体温計には、測定の開始や終了、測定値などを報知するためのスピーカが設けられていることが多い。そのため、電子体温計１では、受信装置３に対して無線通信機能などの測定値を送信するための特別の通信機能を通常の電子体温計の構成に対して付加することなく、測定値の送信を可能とすることができる。それ故、低価格、小型で通信機能を持たせることが可能となる。
【００８７】
また、ノイズの影響による通信品質の劣化を防止することができる構成であるため、精度よく測定値を受信装置３に対して送信することができる。
【００８８】
このようにすることで、ユーザは、測定後の電子体温計１を受信装置３に対して挿入するという簡単な操作を行なうのみで、自動的に測定値が受信装置３に送信されて、処理装置２に転送することができるので、ユーザが目視で測定値を確認してカルテ等に書き写す場合と比較して格段に正確に測定値を転送することが可能となる。
【００８９】
＜他の例＞
なお、たとえば医療機関など、体温管理システムに複数の電子体温計１が含まれる場合が想定される。この場合、電子体温計１は、測定値と共に自身を特定する情報を受信装置３に対して送信する。電子体温計１を特定する情報は予め受信装置３に対して登録されており、たとえばスタートビットの直後、などの、予め受信装置３との間で取り決めた位置に挿入されることで受信装置３に対して送信されてもよい。他の例として、予め電子体温計１ごとに周波数が設定されており、対応した周波数で測定値を受信装置３に対して出力することで、受信装置３が周波数を特定することで電子体温計１を特定するようにしてもよい。
【００９０】
さらに、以上の説明では、電子体温計１で測定された測定値（体温）を受信装置３に音声信号で送信する例が示されているが、同様にして血圧測定器や血中酸素濃度測定器などでも、当該装置を受信装置３にセットすることで、測定値を音声信号で受信装置３に対して送信するようにしてもよい。
【００９１】
また、以上の説明では、電子体温計１の第２のスイッチ１０２Ｂが押下されることで音声信号として測定値が出力されるものとしている。しかしながら、出力のトリガは第２のスイッチ１０２Ｂの押下に限定されるものではない。たとえば、測定後、指定された時間の経過後に自動的に音声信号として出力されるようにしてもよい。この場合、上記時間内に電子体温計１を受信装置３の収納部３２に収納するようにすればよい。また、物理的なスイッチに限定されず、電気的や磁気的に電子体温計１の所定位置が収納部３２の所定位置に接触したことを検知することで、電子体温計１から測定値が音声信号として出力されるようにしてもよい。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９３】
１  電子体温計、２  処理装置、３  受信装置、４  内部部品、５  キャップ、６  温度センサ、７  ネットワーク、１２  制御部、１３  メモリ部、１７  電源部、３０  ＣＰＵ、３１  挿入口、３２  収納部、３２Ａ  突起、３３  マイク、３４  メモリ、３５  通信部、４１  リード線、１００  ハウジング、１０１  表示部、１０２Ａ  第１のスイッチ、１０２Ｂ  第２のスイッチ、１０３  スピーカ、１１０  本体部、１２０  プローブ部、１２１  温度入力部、１２２  算出部、１２３  操作入力部、１２４，３０４  変換部、１２５，３０５  出力部、３００  測温部、３０１  入力部、３０２  フィルタ部、３０３  パルス発生部。
【図１】
2012193967.tif 000003
【図２】
2012193967.tif 000004
【図３】
2012193967.tif 000005
【図４】
2012193967.tif 000006
【図５】
2012193967.tif 000007
【図６】
2012193967.tif 000008
【図７】
2012193967.tif 000009
【図８】
2012193967.tif 000010
【図９】
2012193967.tif 000011
【図１０】
2012193967.tif 000012
【図１１】
2012193967.tif 000013